(57)【要約】【課題】省電力、低コストでありながら、画像処理の競合を回避し、テレビ放送と共に別の画像の表示を可能とする携帯テレビ受信機を提供すること。【解決手段】携帯テレビ受信機（携帯電話機１）の制御部（メインＣＰＵ２０１）は、テレビ放送データに含まれる第１の画像データとは異なる第２の画像データの表示を行う際に、第１の画像データを表示するために画像処理部（サブＣＰＵ２０２）を使用中であるか否かを判別し、画像処理部を使用中でない場合には、画像処理部にて第２の画像データの画像処理をさせて表示部に表示させ、画像処理部を使用中である場合には、第２の画像データについて画像処理を自ら行い、第２の画像データを第１の画像データと共に表示部に表示させる。【選択図】図５
2008252365.tif 000002
【特許請求の範囲】
【請求項１】
テレビ放送データを受信する受信部と、
前記テレビ放送データに含まれる第１の画像データに所定の画像処理を行い、映像信号を生成する画像処理部と、
前記映像信号に基づく映像を表示する表示部と、
前記画像処理部に前記映像信号を生成させ、前記第１の画像データを前記表示部に表示させる制御部と、を備え、
前記制御部は、前記第１の画像データとは異なる第２の画像データの表示を行う際に、前記第１の画像データを表示するために前記画像処理部を使用中であるか否かを判別し、
前記画像処理部を使用中でない場合には、前記画像処理部にて前記第２の画像データの画像処理をさせて前記表示部に表示させ、
前記画像処理部を使用中である場合には、前記第２の画像データについて画像処理を自ら行い、前記第２の画像データを前記第１の画像データと共に前記表示部に表示させることを特徴とする携帯テレビ受信機。
【請求項２】
テレビ放送データと、前記テレビ放送データに関連する関連情報データとを受信する受信部と、
前記テレビ放送データに含まれる第１の画像データに所定の画像処理を行い、映像信号を生成する画像処理部と、
前記映像信号に基づく映像を表示する表示部と、
前記画像処理部に前記映像信号を生成させ、前記第１の画像データを、前記関連情報データと共に前記表示部に表示させる制御部と、を備え、
前記制御部は、前記関連情報データに前記第１の画像データとは異なる第２の画像データが含まれている場合に、前記第２の画像データについて画像処理を自ら行い、前記第２の画像データを前記第１の画像データと共に前記表示部に表示させることを特微とする携帯テレビ受信機。
【請求項３】
請求項２に記載の携帯テレビ受信機において、
前記受信部は、前記関連情報データを前記テレビ放送データと共に受信することを特微とする携帯テレビ受信機。
【請求項４】
請求項２に記載の携帯テレビ受信機において、
前記受信部は、前記テレビ放送データを受信する第１受信部と、通信網を介して前記関連情報データを受信する第２通信部と、を備えることを特徴とする携帯テレビ受信機。
【請求項５】
テレビ放送データを受信する受信部と、
前記テレビ放送データに含まれる第１の画像データに所定の画像処理を行い、映像信号を生成する画像処理部と、
前記映像信号に基づく映像を表示する表示部と、
前記画像処理部に前記映像信号を生成させ、前記第１の画像データを前記表示部に表示させる制御部と、を備え、
前記制御部は、前記第１の画像データの表示を行う際に、前記第１の画像データとは異なる第２の画像データを表示するために前記画像処理部を使用中であるか否かを判別し、
前記画像処理部を使用中である場合には、前記画像処理部にて前記第１の画像データの画像処理をさせ、前記第２の画像データについて画像処理を自ら行い、前記第２の画像データを前記第１の画像データと共に前記表示部に表示させることを特徴とする携帯テレビ受信機。
【請求項６】
テレビ放送データと、前記テレビ放送データに関連する関連情報データとを受信する受信部と、
前記テレビ放送データに含まれる第１の画像データに所定の画像処理を行い、映像信号を生成する画像処理部と、
前記映像信号に基づく映像を表示する表示部と、
前記画像処理部に前記映像信号を生成させ、前記第１の画像データを、前記関連情報データと共に前記表示部に表示させる制御部と、を備え、
前記制御部は、前記関連情報データに含まれる、前記第１の画像データとは異なる第２の画像データを表示するために、前記画像処理部を使用中である場合には、前記画像処理部にて前記第１の画像データの画像処理をさせ、前記第２の画像データについて画像処理を自ら行い、前記第２の画像データを前記第１の画像データと共に前記表示部に表示させることを特微とする携帯テレビ受信機。
【請求項７】
請求項６に記載の携帯テレビ受信機において、
前記受信部は、前記関連情報データを前記テレビ放送データと共に受信することを特微とする携帯テレビ受信機。
【請求項８】
請求項６に記載の携帯テレビ受信機において、
前記受信部は、前記テレビ放送データを受信する第１受信部と、通信網を介して前記関連情報データを受信する第２通信部と、を備えることを特徴とする携帯テレビ受信機。
【請求項９】
請求項５から請求項８のいずれか一項に記載の携帯テレビ受信機において、
前記制御部は、前記画像処理部における画像処理の対象について前記第１の画像データへの切り替えを行ってから、前記第２の画像データの画像処理を自らが完了させるまでの間、前記切り替えの前に前記画像処理部が生成した映像信号に基づいて表示していた前記第２の画像データの表示を維持することを特徴とする携帯テレビ受信機。
【請求項１０】
請求項１から請求項９のいずれか一項に記載の携帯テレビ受信機において、
前記制御部は、受信したデータが所定の形式を有する場合に、当該データを前記第２の画像データであると判別することを特微とする携帯テレビ受信機。
【発明の詳細な説明】
【技術分野】
【０００１】
本発明は、テレビ放送データを表示する携帯テレビ受信機に関する。
【背景技術】
【０００２】
近年、携帯電話等の端末装置において、付加機能として画像の表示やテレビ放送の表示等を可能とする機種が登場してきている（例えば、特許文献１）。このように、１台の端末において様々な機能を実現する端末装置は、増大する処理負荷に耐えられるプロセッサを搭載する必要があるため、製造コストのみならず、消費電力も大きくなる傾向にあるが、一方、携帯端末等の小型機器においては、その消費電力やコストを低く抑えることが求められている。
【０００３】
そこで、このような画像処理を要する携帯端末においては、通信やその他のデータ処理のためのメインプロセッサとは別に、テレビ画像等の画像処理用に専用のプロセッサ（コプロセッサ）を搭載することも多い。このことにより、必要なときにのみコプロセッサを動作させることで、高性能のプロセッサ１つを常時動作させるよりも省電力となる。更に、高性能のプロセッサ１つを搭載するよりも製造コストを抑えることができる。
【０００４】
このように、画像処理専用のコプロセッサを利用する場合においては、例えば、テレビ放送の表示やその他の画像の表示等、処理可能な事項は複数あり、それらに対する要求が重なることが考えられる。
【０００５】
そこで、このような処理の競合を無くすための技術も提案されてきている。例えば、特許文献２には、複数受信した動画像のうち１つを選択して、処理を切り替える携帯電話機が開示されている。
【特許文献１】特開２００３−３１９０４３号公報
【特許文献２】特開２００３−１５３１１１号公報
【発明の開示】
【発明が解決しようとする課題】
【０００６】
しかしながら、上述の技術によれば、コプロセッサを使用する複数の処理は排他的に実行されるため、例えば、地上波デジタル放送を受信中に静止画像を表示させる等、同時処理ができないという課題がある。
【０００７】
携帯端末のユーザにとっては、テレビ放送の表示中に、例えばデータフォルダの静止画像等を再生することができないため、不便を感じることも多い。更に、テレビ放送については、映像データと共に付加情報も併せて放送、配信されており、この付加情報に画像データを含むようになると、これらを同時に表示することができない。
【０００８】
このように、放送や配信される情報は多様化してきているため、画像処理全般をコプロセッサにて行うだけでは、ユーザからの表示要求に十分に応えることができない。
【０００９】
そこで本発明は、省電力、低コストでありながら、画像処理の競合を回避し、テレビ放送と共に別の画像の表示を可能とする携帯テレビ受信機を提供することを目的とする。
【課題を解決するための手段】
【００１０】
本発明に係る携帯テレビ受信機は、上記課題を解決するために、テレビ放送データを受信する受信部と、前記テレビ放送データに含まれる第１の画像データに所定の画像処理を行い、映像信号を生成する画像処理部と、前記映像信号に基づく映像を表示する表示部と、前記画像処理部に前記映像信号を生成させ、前記第１の画像データを前記表示部に表示させる制御部と、を備え、前記制御部は、前記第１の画像データとは異なる第２の画像データの表示を行う際に、前記第１の画像データを表示するために前記画像処理部を使用中であるか否かを判別し、前記画像処理部を使用中でない場合には、前記画像処理部にて前記第２の画像データの画像処理をさせて前記表示部に表示させ、前記画像処理部を使用中である場合には、前記第２の画像データについて画像処理を自ら行い、前記第２の画像データを前記第１の画像データと共に前記表示部に表示させることを特徴とする。
【００１１】
また、本発明に係る携帯テレビ受信機は、上記課題を解決するために、テレビ放送データと、前記テレビ放送データに関連する関連情報データとを受信する受信部と、前記テレビ放送データに含まれる第１の画像データに所定の画像処理を行い、映像信号を生成する画像処理部と、前記映像信号に基づく映像を表示する表示部と、前記画像処理部に前記映像信号を生成させ、前記第１の画像データを、前記関連情報データと共に前記表示部に表示させる制御部と、を備え、前記制御部は、前記関連情報データに前記第１の画像データとは異なる第２の画像データが含まれている場合に、前記第２の画像データについて画像処理を自ら行い、前記第２の画像データを前記第１の画像データと共に前記表示部に表示させることを特微とする。
【００１２】
また、本発明に係る携帯テレビ受信機は、上記課題を解決するために、テレビ放送データを受信する受信部と、前記テレビ放送データに含まれる第１の画像データに所定の画像処理を行い、映像信号を生成する画像処理部と、前記映像信号に基づく映像を表示する表示部と、前記画像処理部に前記映像信号を生成させ、前記第１の画像データを前記表示部に表示させる制御部と、を備え、前記制御部は、前記第１の画像データの表示を行う際に、前記第１の画像データとは異なる第２の画像データを表示するために前記画像処理部を使用中であるか否かを判別し、前記画像処理部を使用中である場合には、前記画像処理部にて前記第１の画像データの画像処理をさせ、前記第２の画像データについて画像処理を自ら行い、前記第２の画像データを前記第１の画像データと共に前記表示部に表示させることを特徴とする。
【００１３】
また、本発明に係る携帯テレビ受信機は、上記課題を解決するために、テレビ放送データと、前記テレビ放送データに関連する関連情報データとを受信する受信部と、前記テレビ放送データに含まれる第１の画像データに所定の画像処理を行い、映像信号を生成する画像処理部と、前記映像信号に基づく映像を表示する表示部と、前記画像処理部に前記映像信号を生成させ、前記第１の画像データを、前記関連情報データと共に前記表示部に表示させる制御部と、を備え、前記制御部は、前記関連情報データに含まれる、前記第１の画像データとは異なる第２の画像データを表示するために、前記画像処理部を使用中である場合には、前記画像処理部にて前記第１の画像データの画像処理をさせ、前記第２の画像データについて画像処理を自ら行い、前記第２の画像データを前記第１の画像データと共に前記表示部に表示させることを特微とする。
【００１４】
また、携帯テレビ受信機において、前記受信部は、前記関連情報データを前記テレビ放送データと共に受信することが好ましい。
【００１５】
また、携帯テレビ受信機において、前記受信部は、前記テレビ放送データを受信する第１受信部と、通信網を介して前記関連情報データを受信する第２通信部と、を備えることが好ましい。
【００１６】
また、携帯テレビ受信機において、前記制御部は、前記画像処理部における画像処理の対象について前記第１の画像データへの切り替えを行ってから、前記第２の画像データの画像処理を自らが完了させるまでの間、前記切り替えの前に前記画像処理部が生成した映像信号に基づいて表示していた前記第２の画像データの表示を維持することが好ましい。
【００１７】
また、携帯テレビ受信機において、前記制御部は、受信したデータが所定の形式を有する場合に、当該データを前記第２の画像データであると判別することが好ましい。
【発明の効果】
【００１８】
本発明によれば、省電力、低コストでありながら、画像処理の競合を回避することができる。
【発明を実施するための最良の形態】
【００１９】
本発明に係る好適な実施形態の一例について、図面に基づいて以下に説明する。なお、以下、携帯テレビ受信機として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００２０】
［携帯電話機１の構造］
図１から図３により、携帯電話機１における基本構造を説明する。図１は、携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００２１】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態および閉状態に変形可能とすると共に、開状態および閉状態それぞれにおいて表示部側筐体３を表状態と裏状態とに切り替えることができる。
【００２２】
ここで、閉状態とは、両筐体が互いに重なるように配置された状態であり、開状態とは、両筐体が互いに重ならないように配置された状態をいう。そして、開状態における表状態とは、後述する表示部側筐体３における表面３ａに配置されるメインディスプレイ３０と、操作部側筐体２におけるフロントケース２ａに配置される操作キー群１１とが同じ側を向くように配置された状態であり、裏状態とは、表示部側筐体３におけるメインディスプレイ３０と操作部側筐体２における操作キー群１１とが反対側を向くように配置された状態をいう。また、閉状態における表状態とは、表示部側筐体３におけるメインディスプレイ３０が操作部側筐体２における操作キー群１１に対向するように配置された状態であり、閉状態における裏状態とは、表示部側筐体３におけるメインディスプレイ３０が操作部側筐体２における操作キー群１１と対向せずに表出した状態である。
【００２３】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力される音声入力部（マイク）１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５と、から構成されている。また、マイク１２は、操作部側筐体２の長手方向における連結部４側とは反対の外端部側に配置される。つまり、マイク１２は、携帯電話機１が開状態において一方の外端部側に配置される。
【００２４】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２５】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリを充電するための充電端子１９とが設けられている。なお、インターフェース１６、ヘッドホン端子／マイク端子１７およびインターフェース１８は、不使用時において着脱可能な防塵対策用のキャップで覆われている。
【００２６】
操作部側筐体２における他方の側面には、図２（Ｂ）に示すように、一対のサイドキー２０と、撮像時に使用される操作キー２１と、電波の受信角度を調整可能な放送波受信アンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２７】
操作部側筐体２のリアケース２ｂには、図３に示すように、被写体を撮像するカメラ２３と、被写体に光を照射するライト２４とが露出して配置される。このカメラ２３とライト２４とは、操作部側筐体２における連結部４側に配置される。また、操作部側筐体２におけるリアケース２ｂには、詳細は後述するバッテリの収容部にバッテリを装着するための開口部が形成されると共に、該開口部を塞ぐようにバッテリーリッド２５が配置される。
【００２８】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２９】
また、表示部側筐体３は、外面がフロントケース３ａとリアケース３ｂにより構成される。表示部側筐体３におけるフロントケース３ａには、図１に示すように、各種情報を表示するための所定形状のメインディスプレイ３０と、通話の相手側における音声を出力する音声出力部（スピーカ）３１とが露出するように配置される。ここで、スピーカ３１は、表示部側筐体３の長手方向における連結部４とは反対の外端部側に配置される。つまり、スピーカ３１は、携帯電話機１が開状態において他方の端部側に配置される。
【００３０】
また、表示部側筐体３のリアケース３ｂには、図３に示すように、各種情報を表示するためのサブディスプレイ３２が露出して配置される。メインディスプレイ３０およびサブディスプレイ３２それぞれは、液晶パネルと、この液晶パネルを駆動する駆動回路と、この液晶パネルの背面側から光を照射するバックライト等の光源部とから構成される。
【００３１】
なお、本実施形態においては、連結部４により折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが１つの筐体に配置され連結部を有さない型式（ストレートタイプ）でもよい。
【００３２】
［携帯電話機１の機能ブロック図］
図４は、本発明の好適な実施形態の一例に係る携帯電話機１の各機能を表すブロック図である。
【００３３】
携帯電話機１は、メインアンテナ４０、通信処理部２０３を備え、所定の通信方式（例えば、ＣＤＭＡ（Ｃｏｄｅ  Ｄｉｖｉｓｉｏｎ  Ｍｕｌｔｉｐｌｅ  Ａｃｃｅｓｓ）２０００＿１Ｘ等）に基づいて、基地局を介して他の通信端末装置との間で、電話、メール、その他のデータ通信等を行う。
【００３４】
メインアンテナ４０、通信処理部２０３にて受信したデータは、主にメインＣＰＵ２０１にて処理され、映像データはディスプレイ制御部２０７に供給し、音声データは音声処理部２０５に供給する。また、携帯電話機１は、メインアンテナ４０、通信処理部２０３により、公衆通信網、インターネット等に接続し、所望のサーバにアクセスし、必要とするデータを取得することもできる。
【００３５】
携帯電話機１は、テレビ放送データを受信する放送波受信アンテナ２２を更に備え、所定の信号を受信するように調整するテレビチューナ２０６を介して、映像信号をサブＣＰＵ２０２に、音声信号を音声処理部２０５に供給する。
【００３６】
サブＣＰＵ２０２は、供給された映像信号に対して所定の画像処理（デコード）を行い、表示可能とした処理後の信号を、ディスプレイ制御部２０７に供給する。
【００３７】
ディスプレイ制御部２０７は、メインＣＰＵ２０１、サブＣＰＵ２０２、およびカメラ２３等から供給される映像データを統合し、メインディスプレイ３０あるいはサブディスプレイ３２にて表示を行う。
【００３８】
音声処理部２０５は、通信処理部２０３、テレビチューナ２０６、メインＣＰＵ２０１等から供給された音声信号に所定の処理を行い、処理後の信号をスピーカ３１から出力する。なお、図４においては、スピーカ３１を１つで表しているが、複数により構成してもよい。
【００３９】
また、音声処理部２０５は、マイク１２を介して音声信号の入力を受け付け、通信処理部２０３より他の通信端末装置との通信を行うことができる。更に、受け付けた音声信号は、音声情報（ファイル）として、メモリ２０４等の記憶部に記憶することもできる。
【００４０】
メインＣＰＵ２０１は、携帯電話機１全体の制御を行うプロセッサであり、本実施形態においては、特にテレビチューナ２０６または通信処理部２０３より受信した画像データを処理（デコード）し、ディスプレイ制御部２０７に提供するソフトウェアコーデックの機能を実行可能である。ここで、メインＣＰＵ２０１が行う各種処理においては、適宜、各種データを格納するメモリ２０４が利用される。
【００４１】
［処理イメージ］
図５は、本発明の好適な実施形態の一例に係る携帯電話機１の処理イメージを示す図である。ここでは、テレビ放送の表示と共に静止画の表示を行う手順を示している。なお、テレビ放送と共に表示するデータは、静止画には限られず、メインＣＰＵ２０１にて処理可能な各種画像データにおいて同様に実現できる。以下、本実施形態においては、画像データとして、静止画を例にとって説明する。
【００４２】
図５（Ａ）では、テレビ放送データのデコード処理をサブＣＰＵ２０２にて行っている場合に、静止画データのデコード処理の要求を受けた状態を示している。このとき、サブＣＰＵ２０２は、既に画像処理中であるため、静止画データのデコード処理を更に行うことはできない。
【００４３】
図５（Ｂ）では、静止画データのデコード処理をサブＣＰＵ２０２にて行っている場合に、テレビ放送データのデコード処理の要求を受けた状態を示している。このとき、サブＣＰＵ２０２は、既に静止画データの画像処理中であるため、テレビ放送データのデコード処理を更に行うことはできない。
【００４４】
本実施形態においては、メインＣＰＵ２０１は、図５の（Ａ）または（Ｂ）の状態になった場合に、サブＣＰＵ２０２に対してテレビ放送データのデコード処理を行うように制御し、自らは静止画データのデコード処理を受け持つ。このことにより、テレビ放送および静止画のデコード処理がなされ、ディスプレイに双方を同時に表示することができる（図５（Ｃ））。
【００４５】
［静止画サービス開始処理フロー］
図６は、本発明の好適な実施形態の一例に係る、メインＣＰＵ２０１上で実行されるアプリケーションプログラムの１つである静止画サービスについての開始処理の流れを示す図である。
【００４６】
ステップＳ１では、メインＣＰＵ２０１は、静止画サービスの開始要求を受け付ける。具体的には、例えば、データフォルダやメモリカード等に記憶した画像データを表示する等、ユーザからの操作入力により、メインＣＰＵ２０１は画像表示要求を受け付ける。または、メールやその他のデータ通信、もしくはテレビ放送データ（特に、デジタルテレビ放送）に付随する付加情報データ等に含まれる画像データを表示する場合もある。
【００４７】
ステップＳ２では、メインＣＰＵ２０１は、サブＣＰＵ２０２の使用状態を取得する。具体的には、サブＣＰＵ２０２にて、既に他の画像データ（テレビ放送データを含む）の画像処理を行っているか否かを示すデータを取得する。
【００４８】
ステップＳ３では、メインＣＰＵ２０１は、ステップＳ２の結果に基づいて、サブＣＰＵ２０２が使用中であるか否かを判別する。サブＣＰＵ２０２が使用中（他の画像データを処理中）であれば、メインＣＰＵ２０１にて当該静止画像データの処理を行い（ステップＳ４）、使用中でなければ、サブＣＰＵ２０２にて当該静止画像データの処理を行う（ステップＳ５）。
【００４９】
このことにより、メインＣＰＵ２０１は、サブＣＰＵ２０２にてテレビ放送データの処理が行われている最中に、静止画サービスを開始する場合には、静止画データの画像処理はメインＣＰＵ２０１にて行うため、ディスプレイに双方を同時に表示することが可能となる。
【００５０】
［テレビ放送サービス開始処理フロー］
図７は、本発明の好適な実施形態の一例に係る、メインＣＰＵ２０１上で実行され、テレビチューナ２０６のデバイスと連携動作するアプリケーションプログラムであるテレビ放送サービスについての開始処理の流れを示す図である。
【００５１】
ステップＳ１１では、メインＣＰＵ２０１は、テレビ放送サービスの開始要求を受け付ける。具体的には、例えば、ユーザからの操作入力により、指定されたチャンネルのテレビ放送データをテレビチューナ２０６にて受信し、これを表示するための後続の処理を開始する。
【００５２】
ステップＳ１２では、メインＣＰＵ２０１は、サブＣＰＵ２０２にて静止画サービスが動作中か否かを判別する。ここで、静止画サービスが動作中である場合には、画像処理が競合し、受信したテレビ放送データの画像処理を行うことができないため、ステップＳ１３へ処理を移し対処する。一方、サブＣＰＵ２０２にて静止画サービスが動作中ではない場合には、ステップＳ１５に処理を移す。
【００５３】
ステップＳ１３では、メインＣＰＵ２０１は、サブＣＰＵ２０２にて処理中の静止画サービスを停止する。これにより、サブＣＰＵ２０２において別のデータに対する画像処理が可能となる。
【００５４】
ステップＳ１４では、携帯電話機１は、ステップＳ１３にて停止した静止画サービスについて、メインＣＰＵ２０１（ソフトウェアコーデック）にて処理を開始する。これにより、静止画サービスが継続され、かつ、サブＣＰＵ２０２が処理待ちの状態となる。
【００５５】
ステップＳ１５では、サブＣＰＵ２０２において、テレビ放送サービスを開始する。これにより、静止画サービスはメインＣＰＵ２０１にて処理を継続し、静止画サービスに比べて処理負荷の重いテレビ放送サービスをサブＣＰＵ２０２にて処理することができる。その結果、画像処理を必要とする２つのサービスを同時に実行することが可能となる。そして、２つのサービスに基づく画像をディスプレイ制御部２０７にて合成し、メインディスプレイ３０へ出力する。
【００５６】
ここまで、テレビ放送サービスおよび静止画サービスの開始処理について説明した。次に、これらの処理が連続的に実行され、競合を回避する一連の処理フローについて、図６および図７のステップと関連付けて以下で説明する。なお、図６、７の各ステップと同じ処理ステップについては、同じステップ番号を用いて説明を行う。
【００５７】
［テレビ放送サービス中の静止画サービス］
図８および図９は、本発明の好適な実施形態の一例に係る競合回避（テレビ放送サービス中の静止画サービス）の処理の流れを示す図である。
【００５８】
まず、テレビ放送サービスが開始（ステップＳ１１）されると、静止画サービスに対して、テレビ放送動作の通知処理を行い（ステップＳ１２）、サブＣＰＵ２０２の使用状態を確認し、未使用である旨がテレビ放送サービスに通知される。
【００５９】
すると、サブＣＰＵ２０２による処理が可能であるので、テレビ放送サービスは、コプロセッサ（サブＣＰＵ２０２）コーデックに対してテレビ放送のための設定処理を行う（ステップＳ１５）。これにより、サブＣＰＵ２０２におけるテレビ放送サービスの準備が整い、テレビ放送の表示を開始する。
【００６０】
続いて、テレビ放送中に、静止画サービスの開始要求を受け付ける（ステップＳ１）と、サブＣＰＵ２０２の使用状態を取得する（ステップＳ２）。このとき、サブＣＰＵ２０２はテレビ放送サービスにて使用中である旨が通知されるため、使用中であることを示すフラグを設定し（ステップＳ３）、後続の処理に移る。
【００６１】
サブＣＰＵ２０２はテレビ放送サービスにて使用中であるため、静止画サービスは、メインＣＰＵ２０１におけるソフトウェアコーデックでコーデック処理（デコードまたはエンコード）を開始する（ステップＳ４）。これにより、テレビ放送サービス動作中に、静止画サービス（静止画データの表示もしくは作成）が実行される。
【００６２】
その後、静止画サービスの停止（終了）を受け付けると、前述のフラグの有無を確認し（ステップＳ２１）、ステップＳ３でフラグが設定されているため、サブＣＰＵ２０２におけるソフトウェアコーデック停止処理が行われる（ステップＳ２２）。停止処理が完了すると、フラグをクリアし（ステップＳ２３）、以降はテレビ放送サービスのみが動作する。
【００６３】
なお、ステップＳ２１におけるフラグ判定は、メインＣＰＵ２０１におけるソフトウェアコーデックを使用中か否かを判別するために行うものである。すなわち、フラグが設定されている（ＴＲＵＥの）場合には、ソフトウェアコーデックを使用中であることを意味しているため、ソフトウェアコーデックを停止し、フラグが設定されていない（ＦＡＬＳＥの）場合には、ソフトウェアコーデックを使用していない（コプロセッサコーデックを使用している）ことを意味しているため、コプロセッサコーデックを停止する。
【００６４】
［静止画サービス中のテレビ放送サービス］
図１０および図１１は、本発明の好適な実施形態の一例に係る競合回避（静止画サービス中のテレビ放送サービス）の処理の流れを示す図である。
【００６５】
まず、静止画サービスが開始要求を受け付ける（ステップＳ１）と、サブＣＰＵ２０２の使用状態を取得する（ステップＳ２）。このとき、静止画サービスでは、サブＣＰＵ２０２においてテレビ放送サービスが動作していないと判定し、コプロセッサ（サブＣＰＵ２０２）コーデックにより、静止画のコーデック（デコードまたはエンコード）処理を開始する。
【００６６】
次に、テレビ放送サービスが開始要求を受け付ける（ステップＳ１１）と、静止画サービスに対して、テレビ放送動作の通知処理を行い、サブＣＰＵ２０２の使用状態を確認する。ここで、静止画サービスが動作中であるため、ソフトウェアコーデックを使用する旨を示すフラグを設定し（ステップＳ１２）、サブＣＰＵ２０２における静止画サービスを停止する（ステップＳ１３）。
【００６７】
そして、停止した静止画サービスは、ソフトウェアコーデック（メインＣＰＵ２０１）によりコーデック処理を開始した後、コプロセッサコーデックからソフトウェアコーデックに切り替えた旨をテレビ放送サービスに通知する（ステップＳ１４）。
【００６８】
続いて、コプロセッサ（サブＣＰＵ２０２）コーデックに対してテレビ放送のための設定処理を行う（ステップＳ１５）。これにより、サブＣＰＵ２０２におけるテレビ放送サービスの準備が整い、テレビ放送の表示を開始する。これにより、テレビ放送サービス動作中に、静止画サービス（静止画データの表示もしくは作成）が実行される。
【００６９】
その後、静止画サービスの停止（終了）を受け付けると、前述のフラグの有無を確認し（ステップＳ２１）、ステップＳ１２でフラグが設定されているため、サブＣＰＵ２０２におけるソフトウェアコーデック停止処理が行われる（ステップＳ２２）。停止処理が完了すると、フラグをクリアし（ステップＳ２３）、以降はテレビ放送サービスのみが動作する。
【００７０】
これまで説明したように、コプロセッサ（サブＣＰＵ２０２）を搭載した携帯電話機１により、テレビ放送データの表示が可能となると同時に、静止画像等の画像データの表示も可能となる。
【００７１】
以上のように、本発明に係る携帯電話機１は、サブＣＰＵ２０２を使用してテレビ放送の表示が行われている場合には、第２の画像データ（静止画像データ）の表示に際して、メインＣＰＵ２０１にて画像処理を行う。これにより、テレビ放送と第２の画像データとを同時に表示させることができるため、いずれか一方の表示に切り替えるという不自由さが解消される。
【００７２】
また、テレビ放送サービスを行うアプリケーションプログラムは、非常に高度な処理を要するため、ソフトウェアの改変を行うことができない場合が多い。本発明においては、処理の簡素な静止画サービス側にてフラグ管理することにより、テレビ放送サービス側アプリケーションへも、コーデック（コプロセッサおよびソフトウェア）側へも改変を要することなく、テレビ放送の映像と付加情報（静止画像等）との同時表示ができ、改変に伴うコストの上昇を抑えることができる。
【００７３】
更に、携帯電話機１は、画像処理専用のサブＣＰＵ２０２を設けることにより、同等の表示を可能とする高性能なＣＰＵを設ける場合に比べて、低コストにて実現できる。また、サブＣＰＵ２０２は、画像処理の要求に応じて動作するため、電力消費を低く抑えることが可能である。
【００７４】
また、携帯電話機１は、テレビ放送に関連する関連情報データを表示する際に、画像データが含まれている場合には、メインＣＰＵ２０１にて画像処理を行うため、サブＣＰＵ２０２にて画像処理するテレビ放送と共に表示させることができる。その結果、画像処理専用のサブＣＰＵ２０２を設けることにより低コスト、省電力を実現した携帯電話機１において、付加情報データとして、画像を含む多様な情報を表示することが可能となる。
【００７５】
また、携帯電話機１の受信部は、テレビ放送データに関連する関連情報データを当該テレビ放送データと共に受信したり、通信網を介して専用サーバ等から取得したりすることができる。これにより、テレビ放送データと関連した多様な情報を適宜取得することができ、それらに含まれる画像データを、当該テレビ放送データと共に表示することができる。
【００７６】
また、携帯電話機１は、サブＣＰＵ２０２において第２の画像データの画像処理を実行中である場合には、サブＣＰＵ２０２における処理対象を、より処理負荷の重いテレビ放送データに切り替え、第２の画像データについては、メインＣＰＵ２０１にて画像処理を引き継ぐ。その結果、画像処理専用のサブＣＰＵ２０２を設けることにより低コスト、省電力を実現した携帯電話機１において、画像処理を実行中であっても、テレビ放送データを受信して同時に表示することが可能となる。
【００７７】
また、携帯電話機１は、第２の画像データを含む関連情報データを、サブＣＰＵ２０２を使用して表示している場合に、サブＣＰＵ２０２を、テレビ放送データに含まれる第１の画像データの画像処理へと切り替えると共に、第２の画像データの画像処理をメインＣＰＵ２０１で行うことができる。その結果、画像処理専用のサブＣＰＵ２０２を設けることにより低コスト、省電力を実現した携帯電話機１において、テレビ放送データの表示を開始すると共に、画像データを含む関連情報をも同時に表示することができる。
【００７８】
また、携帯電話機１は、サブＣＰＵ２０２における第２の画像データの画像処理をメインＣＰＵ２０１において引き継ぎ、表示を開始するまでの間、切り替え前の表示を維持する。これにより、メインＣＰＵ２０１での画像処理による表示が開始されるまでの間においても、表示が消えることがないため、ユーザに与える不快感を低減できる可能性がある。
【００７９】
また、携帯電話機１は、例えば、処理負荷の重いデータ形式であるＭＰＥＧやＪＰＥＧに関してはサブＣＰＵ２０２で処理し、その他の、ＰＮＧ、ＧＩＦ、ビットマップ等に関してはメインＣＰＵ２０１にて処理できる。その結果、テレビ放送データとの競合は、所定の形式のデータ（ＭＰＥＧおよびＪＰＥＧ）に関してのみ発生し、その場合においても、メインＣＰＵ２０１およびサブＣＰＵ２０２で画像処理を分担することにより、同時に表示することが可能となる。
【００８０】
ここで、テレビ放送としては、例えば地上波デジタル放送の場合には、テレビ放送データと共に、放送中の番組に関連したテキスト等、種々の付加情報データが送信され、テレビチューナ２０６により、メインＣＰＵ２０１がこれを取得する。メインＣＰＵ２０１は、この付加情報データに、例えば出演者の歌うＣＤジャケットの画像等の画像データ（ＭＰＥＧ、ＪＰＥＧ等）が含まれる場合に、テレビ映像と共に表示させることができる。
【００８１】
また、アナログ放送等の場合には、テレビチューナ２０６にて設定されるチャンネル情報と時刻とに基づいて、通信事業者や放送事業者の運営するサーバに、通信処理部２０３にてインターネット接続し、付加情報をメインＣＰＵ２０１が取得するように構成される場合にも本発明は適用可能である。すなわち、本発明における受信部とは、テレビチューナ２０６のみでなく、通信処理部２０３を含む場合もありうる。
【００８２】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００８３】
【図１】携帯電話機を開いた状態（第１開状態）における正面図である。
【図２】（Ａ）携帯電話機を開いた状態における左側面図、（Ｂ）携帯電話機を開いた状態における右側面図である。
【図３】携帯電話機を開いた状態における背面図である。
【図４】本発明の好適な実施形態の一例に係る携帯電話機の各機能を表すブロック図である。
【図５】本発明の好適な実施形態の一例に係る携帯電話機の処理イメージを示す図である。
【図６】本発明の好適な実施形態の一例に係る静止画サービス開始処理の流れを示す図である。
【図７】本発明の好適な実施形態の一例に係るテレビ放送サービス開始処理の流れを示す図である。
【図８】本発明の好適な実施形態の一例に係る競合回避（テレビ放送サービス中の静止画サービス）の処理の流れを示す図である。
【図９】本発明の好適な実施形態の一例に係る競合回避（テレビ放送サービス中の静止画サービス）の処理の流れを示す図である。
【図１０】本発明の好適な実施形態の一例に係る競合回避（静止画サービス中のテレビ放送サービス）の処理の流れを示す図である。
【図１１】本発明の好適な実施形態の一例に係る競合回避（静止画サービス中のテレビ放送サービス）の処理の流れを示す図である。
【符号の説明】
【００８４】
１      携帯電話機
２      操作部側筐体
３      表示部側筐体
４      連結部
２２    放送波受信アンテナ
２３    カメラ
３０    メインディスプレイ
３１    スピーカ
３２    サブディスプレイ
４０    メインアンテナ
２０１  メインＣＰＵ
２０２  サブＣＰＵ
２０３  通信処理部
２０４  メモリ
２０５  音声処理部
２０６  テレビチューナ
２０７  ディスプレイ制御部
【図１】
2008252365.tif 000003
【図２】
2008252365.tif 000004
【図３】
2008252365.tif 000005
【図４】
2008252365.tif 000006
【図５】
2008252365.tif 000007
【図６】
2008252365.tif 000008
【図７】
2008252365.tif 000009
【図８】
2008252365.tif 000010
【図９】
2008252365.tif 000011
【図１０】
2008252365.tif 000012
【図１１】
2008252365.tif 000013